(57)【要約】【課題】ハードディスクレコーダ等のディジタル録画装置において、放送局から送信される放送信号自体を変更することなく、ステレオ放送の番組に含まれるＣＭをもカットすることができるようにする。【解決手段】放送信号のパケットに含まれるＳＤ放送判別用の情報に基づいて、この放送信号を復号して生成された放送データが、ＳＤ放送の放送データであるか否かを判定し（Ｓ１１）、ＳＤ放送と判定された場合に（Ｓ１２でＮＯ）、該当の放送データをＣＭとみなしてカットするようにした（Ｓ１４）。ここで、ＣＭは、一般にＳＤ放送用の放送信号で送信され、番組本編は、一般にＨＤ放送用の放送信号で送信されるため、上記のようにＳＤ放送の放送データをカットすることにより、放送局から送信される放送信号自体を変更することなく、ステレオ放送の番組に含まれるＣＭをもカットすることができる。【選択図】図５
2006217464.tif 000002
【特許請求の範囲】
【請求項１】
放送局によって符号・圧縮されて送出される地上波ディジタル放送信号の中から特定のチャンネルの放送信号を選択して受信するためのチューナと、
前記チューナによって受信された放送信号を復号して、放送信号に対応した画像データと音声データとを出力する復号手段と、
ハードディスクを内蔵し、前記復号手段から出力された画像データと音声データとからなる放送データを前記ハードディスクに録画するハードディスクドライブと、
前記復号手段から出力された放送データの前記ハードディスクへの録画の指示入力と、録画の際にＣＭ（Commercial Message）カットを行うか否かの設定入力とを行うための入力手段と、
前記入力手段を用いてユーザにより前記録画の指示入力がなされたときに、前記入力手段を用いてユーザによりＣＭカットを行う旨の設定入力が既に行われていた場合には、前記復号手段から出力された放送データのうち、ＣＭとみなされる放送データをカットして、番組本編とみなされる放送データのみを前記ハードディスクドライブにより前記ハードディスクに録画するように制御する録画制御手段とを備えたハードディスクレコーダにおいて、
前記放送データのうち、ＳＤ（Standard Definition）放送の放送データを全てカットする第１のＣＭカットモードと、前記放送データのうち、直前のＨＤ（High Definition）放送の放送データと同じ番組コードを持つＳＤ放送の放送データのみをカットする第２のＣＭカットモードと、前記放送データのうち、ＣＭとみなされるＳＤ放送の放送データのみをカットする第３のＣＭカットモードの中から、ユーザ所望のＣＭカットモードを選択するためのＣＭカットモード選択手段をさらに備え、
前記録画制御手段は、
前記チューナによって受信された放送信号のパケットに含まれるＳＤ放送判別用の情報に基づいて、この放送信号を復号して生成された放送データが、ＳＤ放送の放送データであるか否かを判定し、この判定結果に基づいて、前記ＣＭカットモード選択手段により選択されたＣＭカットモードに応じた録画の制御を行うと共に、
前記ＣＭカットモード選択手段により第３のＣＭカットモードが選択されたときに、前記放送信号のパケットに含まれるＣＭ判別用の情報に基いて、前記放送信号を復号して生成された放送データが、ＣＭの放送データとみなされるか否かを判定するようにしたことを特徴とするハードディスクレコーダ。
【請求項２】
放送局によって符号・圧縮されて送出されるディジタル放送信号の中から特定のチャンネルの放送信号を選択して受信するためのチューナと、
前記チューナによって受信された放送信号を復号して、放送信号に対応した画像データと音声データとを出力する復号手段と、
前記復号手段から出力された画像データと音声データとからなる放送データを記録媒体に録画する録画手段と、
前記復号手段から出力された放送データの前記録画手段による録画を指示するための指示入力と、前記録画手段による録画の際にＣＭ（Commercial Message）カットを行うか否かの設定入力とを行うための入力手段と、
前記入力手段を用いてユーザにより録画の指示入力がなされたときに、前記入力手段を用いてユーザによりＣＭカットを行う旨の設定入力が既に行われていた場合には、前記復号手段から出力された放送データのうち、ＣＭとみなされる放送データをカットして、番組本編とみなされる放送データのみを前記録画手段により前記記録媒体に録画するように制御する録画制御手段とを備えたディジタル録画装置において、
前記録画制御手段は、前記放送データのうち、ＳＤ（Standard Definition）放送の放送データをＣＭの放送データとみなしてカットするようにしたことを特徴とするディジタル録画装置。
【請求項３】
前記録画制御手段は、前記チューナによって受信された放送信号のパケットに含まれるＳＤ放送判別用の情報に基づいて、この放送信号を復号して生成された放送データが、ＳＤ放送の放送データであるか否かを判定するようにしたことを特徴とする請求項２に記載のディジタル録画装置。
【発明の詳細な説明】
【技術分野】
【０００１】
本発明は、ハードディスクレコーダやＤＶＤ（Digital Versatile Disc）レコーダ等のディジタル録画装置に係り、特に、地上波ディジタル放送信号、ＢＳ（Broadcasting Satellite）ディジタル放送信号、ＣＳ（Communications Satellite）ディジタル放送信号等のディジタル放送信号のチューナを内蔵したディジタル録画装置に関する。
【背景技術】
【０００２】
従来より、ハードディスクレコーダ等のディジタル録画装置において、ＣＭ（Commercial Message）とみなされる放送データをカットして、番組本編とみなされる放送データのみを録画する機能であるＣＭカット機能を有するものがある。従来のディジタル録画装置は、内蔵チューナで受信した放送信号に含まれる音声信号が、ステレオ放送の音声信号である場合は、受信した放送信号がＣＭの放送信号であるとみなし、受信した放送信号に含まれる音声信号が、モノラル放送の音声信号である場合は、受信した放送信号が番組本編の放送信号であるとみなしていた（例えば、特開平１０−６５９８８参照）。しかし、このようなＣＭの判別方法では、映画、音声番組、ニュース等のステレオ放送の番組に含まれるＣＭをカットすることはできない。
【０００３】
また、アナログ方式の放送信号に含まれるビットの中にＣＭ判別用のビットを持たせて、このビットの値に基づいて、ＣＭであるか否かを判別するようにしたＣＭ検出方法が知られている（特許文献２参照）。しかし、このようなＣＭ検出方法を実現するためには、放送局から送信される放送信号自体を変更する必要がある。
【特許文献１】特開平１０−６５９８８号公報（第５頁等）
【特許文献２】特開２００２−１９９３２１号公報（第４頁等）
【発明の開示】
【発明が解決しようとする課題】
【０００４】
本発明は、上記の問題を解決するためになされたものであり、放送局から送信される放送信号自体を変更することなく、ステレオ放送の番組に含まれるＣＭをもカットすることが可能なハードディスクレコーダ及びディジタル録画装置を提供することを目的とする。
【課題を解決するための手段】
【０００５】
上記目的を達成するために請求項１の発明は、放送局によって符号・圧縮されて送出される地上波ディジタル放送信号の中から特定のチャンネルの放送信号を選択して受信するためのチューナと、前記チューナによって受信された放送信号を復号して、放送信号に対応した画像データと音声データとを出力する復号手段と、ハードディスクを内蔵し、前記復号手段から出力された画像データと音声データとからなる放送データを前記ハードディスクに録画するハードディスクドライブと、前記復号手段から出力された放送データの前記ハードディスクへの録画の指示入力と、録画の際にＣＭ（Commercial Message）カットを行うか否かの設定入力とを行うための入力手段と、前記入力手段を用いてユーザにより前記録画の指示入力がなされたときに、前記入力手段を用いてユーザによりＣＭカットを行う旨の設定入力が既に行われていた場合には、前記復号手段から出力された放送データのうち、ＣＭとみなされる放送データをカットして、番組本編とみなされる放送データのみを前記ハードディスクドライブにより前記ハードディスクに録画するように制御する録画制御手段とを備えたハードディスクレコーダにおいて、前記放送データのうち、ＳＤ（Standard Definition）放送の放送データを全てカットする第１のＣＭカットモードと、前記放送データのうち、直前のＨＤ（High Definition）放送の放送データと同じ番組コードを持つＳＤ放送の放送データのみをカットする第２のＣＭカットモードと、前記放送データのうち、ＣＭとみなされるＳＤ放送の放送データのみをカットする第３のＣＭカットモードの中から、ユーザ所望のＣＭカットモードを選択するためのＣＭカットモード選択手段をさらに備え、前記録画制御手段は、前記チューナによって受信された放送信号のパケットに含まれるＳＤ放送判別用の情報に基づいて、この放送信号を復号して生成された放送データが、ＳＤ放送の放送データであるか否かを判定し、この判定結果に基づいて、前記ＣＭカットモード選択手段により選択されたＣＭカットモードに応じた録画の制御を行うと共に、前記ＣＭカットモード選択手段により第３のＣＭカットモードが選択されたときに、前記放送信号のパケットに含まれるＣＭ判別用の情報に基いて、前記放送信号を復号して生成された放送データが、ＣＭの放送データとみなされるか否かを判定するようにしたものである。
【０００６】
請求項２の発明は、放送局によって符号・圧縮されて送出されるディジタル放送信号の中から特定のチャンネルの放送信号を選択して受信するためのチューナと、前記チューナによって受信された放送信号を復号して、放送信号に対応した画像データと音声データとを出力する復号手段と、前記復号手段から出力された画像データと音声データとからなる放送データを記録媒体に録画する録画手段と、前記復号手段から出力された放送データの前記録画手段による録画を指示するための指示入力と、前記録画手段による録画の際にＣＭ（Commercial Message）カットを行うか否かの設定入力とを行うための入力手段と、前記入力手段を用いてユーザにより録画の指示入力がなされたときに、前記入力手段を用いてユーザによりＣＭカットを行う旨の設定入力が既に行われていた場合には、前記復号手段から出力された放送データのうち、ＣＭとみなされる放送データをカットして、番組本編とみなされる放送データのみを前記録画手段により前記記録媒体に録画するように制御する録画制御手段とを備えたディジタル録画装置において、前記録画制御手段は、前記放送データのうち、ＳＤ（Standard Definition）放送の放送データをＣＭの放送データとみなしてカットするようにしたものである。
【０００７】
請求項３の発明は、請求項２に記載のディジタル録画装置において、前記録画制御手段は、前記チューナによって受信された放送信号のパケットに含まれるＳＤ放送判別用の情報に基づいて、この放送信号を復号して生成された放送データが、ＳＤ放送の放送データであるか否かを判定するようにしたものである。
【発明の効果】
【０００８】
請求項１の発明によれば、ユーザがＳＤ放送の放送データを全てカットする第１のＣＭカットモードを選択したときには、放送信号のパケットに含まれるＳＤ放送判別用の情報に基づいて、この放送信号を復号して生成された放送データが、ＳＤ放送の放送データであるか否かを判定し、ＳＤ放送と判定された場合に、該当の放送データをＣＭとみなしてカットするようにした。ここで、ＣＭは、一般にＳＤ放送用の放送信号で送信され、番組本編は、一般にＨＤ放送用の放送信号で送信されるため、上記のようにＳＤ放送の放送データをカットすることにより、放送局から送信される放送信号自体を変更することなく、ステレオ放送の番組に含まれるＣＭをもカットすることができる。
【０００９】
また、ユーザが、放送データのうち、直前のＨＤ放送の放送データと同じ番組コードを持つＳＤ放送の放送データのみをカットする第２のＣＭカットモードを選択することができるようにしたことにより、この第２のＣＭカットモードを使用することで、ＣＭ以外のＳＤ放送の放送データを、間違ってカットしてしまうことを防ぐことができる。
【００１０】
さらにまた、ユーザが、放送データのうち、ＣＭ判別用の情報に基いてＣＭとみなされるＳＤ放送の放送データのみをカットする第３のＣＭカットモードを選択することができるようにしたことにより、この第３のＣＭカットモードを使用することで、放送信号のパケットに含まれるＳＤ放送判別用の情報と、放送信号のパケットに含まれるＣＭ判別用の情報の両方を用いて、受信された放送信号がＣＭの放送信号であるか否かを判別することができる。これにより、番組本編がＳＤ放送で放送されている場合でも、番組本編の放送データからＣＭの放送データをカットして、番組本編の放送データのみを録画することができる。
【００１１】
請求項２の発明によれば、ユーザにより録画の指示入力がなされたときに、ＣＭカットを行う旨の設定入力が既に行われていた場合には、放送データのうち、ＳＤ放送の放送データをＣＭの放送データとみなしてカットするようにした。ここで、ＣＭは、一般にＳＤ放送用の放送信号で送信され、番組本編は、一般にＨＤ放送用の放送信号で送信されるため、上記のようにＳＤ放送の放送データをカットすることにより、ステレオ放送の番組に含まれるＣＭをもカットすることができる。
【００１２】
請求項３の発明によれば、チューナによって受信された放送信号のパケットに含まれるＳＤ放送判別用の情報に基づいて、この放送信号を復号して生成された放送データが、ＳＤ放送の放送データであるか否かを判定するようにしたことにより、放送局から送信される放送信号自体を変更することなく、放送局から送信された放送信号を復号して生成された放送データが、ＣＭとみなされる放送データであるか否かを判別することができる。
【発明を実施するための最良の形態】
【００１３】
本発明を実施するための最良の形態について図面を参照して説明する。以下に記載した実施形態は、本発明を網羅するものではなく、本発明は、下記の形態だけに限定されない。本実施形態によるディジタル録画装置は、地上波ディジタル放送信号のチューナを内蔵したハードディスクレコーダである。
【００１４】
図１は、本実施形態によるハードディスクレコーダの概略構成を示す。ハードディスクレコーダ１には、このハードディスクレコーダ１で再生された画像データ及び音声データの出力先となるテレビジョン受像機２（以下、テレビと略す）と、地上波ディジタル放送の放送局（以下、放送局と略す）から送信された放送信号を受信するためのアンテナ３とが接続される。
【００１５】
上記のハードディスクレコーダ１は、装置全体の制御を行うＣＰＵ１０（録画制御手段）と、ディジタルチューナ１１（チューナ）と、フロントエンド１２と、ＭＰＥＧ−２デコーダ１３（復号手段）と、メモリ１４と、ＯＳＤ回路１５と、合成回路１６と、Ｄ／Ａ変換機１７と、画像データ出力用の画像出力端子１８と、音声データ出力用の音声出力端子１９と、データ処理部２０と、ハードディスクドライブ２１（以下、ＨＤＤと記す）と、リモコン信号受信部２２と、リモートコントローラ３０（以下、リモコンと略す）（入力手段）とから構成されている。
【００１６】
ディジタルチューナ１１は、放送局によって符号・圧縮されて送出される地上波ディジタル放送信号の中から特定のチャンネルの放送信号を選択して受信するための装置であり、その受信周波数をリモコン３０で選局操作されたチャンネルに対応する周波数に同調させることにより、選局操作されたチャンネルの地上波ディジタル放送信号をアンテナ３を介して受信するものである。ディジタルチューナ１１から出力される信号は、画像や音声等の複数のストリームが多重化されたＴＳ（トランスポート・ストリーム）信号である。
【００１７】
フロントエンド１２は、上記のＴＳ（トランスポート・ストリーム）信号から、リモコン３０で選局されたサブチャンネルのテレビ番組の画像信号と音声信号を分離抽出して、これらの信号をＭＰＥＧ−２デコーダ１３に出力する。
【００１８】
ＭＰＥＧ−２デコーダ１３は、フロントエンド１２から送られた画像信号と音声信号をデジタル圧縮符号化される前の信号に復号して、復号後の信号に対応した画像データと音声データとをメモリ１４に出力する。
【００１９】
メモリ１４は、ＭＰＥＧ−２デコーダ１３から送られた画像データと音声データとを格納する。
【００２０】
ＯＳＤ回路１５は、各種設定用のメニュー画像のデータを格納しており、ＣＰＵ１０による指示に基づいて、メモリ１４から合成回路１６への放映画像のデータの送信と同期を合わせて、メニュー画像のデータを合成回路１６に送信する。
【００２１】
合成回路１６は、メモリ１４から送られた放映画像のデータに、ＯＳＤ回路１５から送られたメニュー画像のデータを重ねることにより、放映画像とメニュー画像とを合成して、合成後の画像データをＤ／Ａ変換機１７に出力する。ただし、メニュー画像のデータをＯＳＤ表示しないときには、合成回路１６は、ＣＰＵ１０による指示に従い、メモリ１４に格納された放映画像のデータをＤ／Ａ変換機１７に出力する。
【００２２】
Ｄ／Ａ変換機１７は、送られたデジタル形式の画像データと音声データとをアナログ形式の画像データと音声データとに変換して、変換後の画像データと音声データとを画像出力端子１８と音声出力端子１９とを介してテレビ２に出力する。ハードディスクレコーダ１側の画像出力端子１８、音声出力端子１９は、それぞれテレビ２側のＤ端子２３、音声入力端子２４とケーブルを介して接続されている。
【００２３】
データ処理部２０は、地上波ディジタル放送の番組の録画時に、ＣＰＵ１０による制御の下、ＭＰＥＧ−２デコーダ１３により復号された画像データと音声データとをブロッキングしてＨＤＤ２１へ出力すると共に、ＨＤＤ２１に録画された番組の再生時に、ＣＰＵ１０による制御の下、ＨＤＤ２１から出力された番組の放送データのうち、画像データを合成回路１６に出力し、音声データをＤ／Ａ変換機１７に出力する。
【００２４】
リモコン３０は、各種のキーとリモコン信号送信部３４とから構成されている。リモコン３０上のキーには、後述するＣＭカットモード設定メニュー６１（図３参照）を含む、各種メニュー画像の表示を指示するためのメニューボタン３１、各種の選択操作を行うための４つのカーソルキー３２、選択操作における決定を行うための決定キー３３、及び地上波ディジタル放送の番組の録画を指示するための録画キー３５が含まれている。このリモコン３０は、ユーザによる操作に応じた赤外線信号を送信する。リモコン信号受信部２２は、リモコン３０から送出された赤外線信号を受信して、ＣＰＵ１０に送る。なお、リモコン３０と、上記のＣＭカットモード設定メニュー６１とが、請求項におけるＣＭカットモード選択手段に相当する。
【００２５】
次に、図２を参照して、上記ＨＤＤ２１について説明する。ＨＤＤ２１は、記録媒体である複数枚のハードディスク５１と、これらのハードディスク５１に対してデータの記録・読取を行う複数の磁気ヘッド５２と、この磁気ヘッド５２を駆動するヘッド駆動部５３と、ヘッド駆動部５３を制御することによりハードディスク５１に対するデータの記録・読取を制御するＨＤＤ制御部５４と、記録するデータ又は読み出したデータを一時的に保存するバッファメモリ５５とを有している。
【００２６】
次に、図３を参照して、このハードディスクレコーダ１におけるＣＭカットモード設定について説明する。このハードディスクレコーダ１におけるＣＭカットモード設定は、ユーザがリモコン３０上のメニューボタン３１等のボタンを用いて、図に示されるＣＭカットモード設定メニュー６１を表示した上で、リモコン３０のカーソルキー３２と決定キー３３とを用いて、ＣＭカットモード設定メニュー６１中の設定項目の中から所望の設定項目を選択することにより、行われる。具体的には、ユーザは、まず、ＣＭカットモードのオン／オフ欄６２の選択入力を行う。そして、この選択入力処理において、ＣＭカットモードをオンにすることを選択した場合には、さらにＣＭカットモードのタイプ欄６３の選択入力を行う。これらの選択入力を行った上で、確定欄６４の選択入力を行うことにより、ＣＰＵ１０は、設定入力された内容をメモリ１４に書き込む。上記のＣＭカットモードのタイプ欄６３でモード１が選択された場合には、ＳＤ（Standard Definition）放送の放送データが全てカットされて、ＨＤ（High Definition）放送の放送データのみが、ハードディスク５１に録画される。また、モード２が選択された場合には、放送データのうち、直前のＨＤ放送の放送データと同じ番組コードを持つＳＤ放送の放送データのみがカットされ、ＨＤ放送の放送データ、及び直前のＨＤ放送の放送データと異なる番組コードを持つＳＤ放送の放送データは、ハードディスク５１に録画される。さらにまた、モード３が選択された場合には、放送データのうち、放送信号のパケットに含まれるＣＭ判別用の情報に基いてＣＭとみなされるＳＤ放送の放送データのみがカットされ、ＨＤ放送の放送データ、及び前記ＣＭ判別用の情報に基いてＣＭとみなされないＳＤ放送の放送データは、ハードディスク５１に録画される。
【００２７】
次に、図４乃至図７のフローチャートを参照して、このハードディスクレコーダ１におけるＣＭカット処理について説明する。ユーザが、図４のフローチャートに示されるように、リモコン３０上の録画キー３５を用いて、ディジタルチューナ１１で受信した番組のハードディスク５１への録画の指示入力を行うと（Ｓ１でＹＥＳ）、ＣＰＵ１０は、メモリ１４に記憶されたＣＭカットモードの設定データに基づいて、ＣＭカットモードがオンに設定されているか否かをチェックする（Ｓ２）。この結果、ＣＭカットモードがオフに設定されているときは（Ｓ２でＮＯ）、ＣＰＵ１０は、ＭＰＥＧ−２デコーダ１３により復号された放送データが、ＳＤ放送の放送データである場合も、ＨＤ放送の放送データである場合も、復号された放送データを全てハードディスク５１に録画する（Ｓ３）。
【００２８】
これに対して、ＣＭカットモードがオンに設定されており（Ｓ２でＹＥＳ）、かつ、ＣＭカットモードがモード１に設定されているときは（Ｓ４でＹＥＳ）、ＣＰＵ１０は、カット処理１を行う（Ｓ５）。具体的には、ＣＰＵ１０は、図５のフローチャートに示されるように、ディジタルチューナ１１によって受信された放送信号（トランスポート・ストリーム信号）のパケットに含まれるＳＤ放送判別用の情報に基づいて、受信した放送信号が、ＳＤ放送の放送信号であるか、ＨＤ放送の放送信号であるかを判定する（Ｓ１１）。上記の放送信号のパケットに含まれるＳＤ放送判別用の情報とは、具体的には、放送信号のパケット中のビデオデコードコントロール記述子等の、映像入力フォーマットに応じて内容が変更される情報のことである。なお、映像入力フォーマットが、４８０ｉ又は４８０Ｐであるときは、ＳＤ放送の放送信号であると判定し、それ以外の場合（１０８０ｉ、１０８０Ｐ等の場合）は、ＨＤ放送の放送信号であると判定する。
【００２９】
上記の判定の結果、受信した放送信号が、ＨＤ放送の放送信号であるときは（Ｓ１２でＹＥＳ）、ＣＰＵ１０は、受信した放送信号が番組本編の放送信号であるとみなして、この放送信号をＭＰＥＧ−２デコーダ１３により復号した放送データを、ハードディスク５１に録画する（Ｓ１３）。しかし、受信した放送信号が、ＳＤ放送の放送信号であるときは（Ｓ１２でＮＯ）、ＣＰＵ１０は、受信した放送信号がＣＭ放送の放送信号であるとみなして、この放送信号をＭＰＥＧ−２デコーダ１３により復号した放送データを、ハードディスク５１に録画しない（Ｓ１４）。そして、ユーザが、リモコン３０を用いて、録画の停止の指示入力を行うまで（Ｓ１５でＮＯ）、ＣＰＵ１０は、上記Ｓ１１乃至Ｓ１４の処理を繰り返す。
【００３０】
また、図４のフローチャートに示されるように、ＣＭカットモードがオンに設定されており（Ｓ２でＹＥＳ）、かつ、ＣＭカットモードがモード２に設定されているときは（Ｓ４でＮＯ、Ｓ６でＹＥＳ）、ＣＰＵ１０は、カット処理２を行う（Ｓ７）。具体的には、ＣＰＵ１０は、図６のフローチャートに示されるように、ディジタルチューナ１１によって受信された放送信号のパケットに含まれるＳＤ放送判別用の情報に基づいて、受信した放送信号が、ＳＤ放送の放送信号であるか、ＨＤ放送の放送信号であるかを判定する（Ｓ２１）。
【００３１】
上記の判定の結果、受信した放送信号が、ＨＤ放送の放送信号であるときは（Ｓ２２でＹＥＳ）、ＣＰＵ１０は、受信した放送信号が番組本編の放送信号であるとみなして、この放送信号をＭＰＥＧ−２デコーダ１３により復号した放送データを、ハードディスク５１に録画する（Ｓ２３）。また、受信した放送信号が、ＳＤ放送の放送信号であるときでも（Ｓ２２でＮＯ）、このＳＤ放送の放送信号のパケットに含まれる番組コードが、直前のＨＤ放送の番組コードと異なる場合には（Ｓ２４でＮＯ）、受信したＳＤ放送の放送信号が番組本編の放送信号であるとみなして、この放送信号をＭＰＥＧ−２デコーダ１３により復号した放送データを、ハードディスク５１に録画する（Ｓ２３）。これに対して、受信した放送信号が、ＳＤ放送の放送信号であり（Ｓ２２でＮＯ）、かつ、このＳＤ放送の放送信号のパケットに含まれる番組コードが、直前のＨＤ放送の番組コードと同じ場合には（Ｓ２４でＹＥＳ）、ＣＰＵ１０は、受信した放送信号がＣＭ放送の放送信号であるとみなして、この放送信号をＭＰＥＧ−２デコーダ１３により復号した放送データを、ハードディスク５１に録画しない（Ｓ２５）。そして、ユーザが、リモコン３０を用いて、録画の停止の指示入力を行うまで（Ｓ２６でＮＯ）、ＣＰＵ１０は、上記Ｓ２１乃至Ｓ２５の処理を繰り返す。なお、上記の放送信号のパケットに含まれる番組コードとして、ＥＩＴ中の番組名を用いてもよい。
【００３２】
また、図４のフローチャートに示されるように、ＣＭカットモードがオンに設定されており（Ｓ２でＹＥＳ）、かつ、ＣＭカットモードがモード３に設定されているときは（Ｓ４でＮＯ、Ｓ６でＮＯ）、ＣＰＵ１０は、カット処理３を行う（Ｓ８）。具体的には、ＣＰＵ１０は、図７のフローチャートに示されるように、ディジタルチューナ１１によって受信された放送信号のパケットに含まれるＳＤ放送判別用の情報に基づいて、受信した放送信号が、ＳＤ放送の放送信号であるか、ＨＤ放送の放送信号であるかを判定する（Ｓ３１）。そして、受信した放送信号が、ＨＤ放送の放送信号であるときは（Ｓ３２でＹＥＳ）、ＣＰＵ１０は、受信した放送信号が番組本編の放送信号であるとみなして、この放送信号をＭＰＥＧ−２デコーダ１３により復号した放送データを、ハードディスク５１に録画する（Ｓ３３）。また、受信した放送信号が、ＳＤ放送の放送信号であるときでも（Ｓ３２でＮＯ）、このＳＤ放送の放送信号のパケットに含まれるＣＭ判別用の情報に基いて、受信した放送信号が番組本編の放送信号であると判定できる場合には（Ｓ３４でＮＯ）、この放送信号をＭＰＥＧ−２デコーダ１３により復号した放送データを、ハードディスク５１に録画する（Ｓ３３）。ここで、上記のＣＭ判別用の情報としては、例えば、放送信号のパケットに含まれるＳＩ（Service Information）中のＬＩＴ（Local event Information Table）内の情報が用いられる。これに対して、受信した放送信号が、ＳＤ放送の放送信号であり（Ｓ３２でＮＯ）、かつ、このＳＤ放送の放送信号のパケットに含まれるＣＭ判別用の情報に基いて、受信した放送信号がＣＭの放送信号であると判定できる場合には（Ｓ３４でＹＥＳ）、ＣＰＵ１０は、この放送信号をＭＰＥＧ−２デコーダ１３により復号した放送データを、ハードディスク５１に録画しない（Ｓ３５）。そして、ユーザが、リモコン３０を用いて、録画の停止の指示入力を行うまで（Ｓ３６でＮＯ）、ＣＰＵ１０は、上記Ｓ３１乃至Ｓ３５の処理を繰り返す。
【００３３】
上述したように、本実施形態によるハードディスクレコーダ１によれば、ユーザがＳＤ放送の放送データを全てカットするＣＭカットモード（モード１）を選択したときには、放送信号のパケットに含まれるＳＤ放送判別用の情報に基づいて、この放送信号を復号して生成された放送データが、ＳＤ放送の放送データであるか否かを判定し、この結果、ＳＤ放送と判定されたときは、該当の放送データをＣＭとみなしてカットするようにした。ここで、ＣＭは、一般にＳＤ放送用の放送信号で送信され、番組本編は、一般にＨＤ放送用の放送信号で送信されるため、上記のようにＳＤ放送の放送データをカットすることにより、放送局から送信される放送信号自体を変更することなく、ステレオ放送の番組に含まれるＣＭをもカットすることができる。
【００３４】
また、ユーザが、放送データのうち、直前のＨＤ放送の放送データと同じ番組コードを持つＳＤ放送の放送データのみをカットするＣＭカットモード（モード２）を選択することができるようにしたことにより、このＣＭカットモードを使用することで、ＣＭ以外のＳＤ放送の放送データを、間違ってカットしてしまうことを防ぐことができる。
【００３５】
さらにまた、ユーザが、放送データのうち、ＣＭ判別用の情報に基いてＣＭとみなされるＳＤ放送の放送データのみをカットするＣＭカットモード（モード３）を選択することができるようにしたことにより、このＣＭカットモードを使用することで、放送信号のパケットに含まれるＳＤ放送判別用の情報と、放送信号のパケットに含まれるＣＭ判別用の情報の両方を用いて、受信された放送信号がＣＭの放送信号であるか否かを判別することができる。これにより、番組本編がＳＤ放送で放送されている場合でも、番組本編の放送データからＣＭの放送データをカットして、番組本編の放送データのみを録画することができる。
【００３６】
なお、本発明は、上記実施形態に限られるものではなく、様々な変形が可能である。例えば、上記実施形態では、ユーザが、３種類のＣＭカットモードを選択可能なようにしたが、上記３つのモードのうち、１つ又は２つのモードのみを使用可能にしてもよい。また、上記実施形態では、放送信号のパケット中のビデオデコードコントロール記述子等の、映像入力フォーマットに直接関連する情報に基いて、ＳＤ放送の放送データであるか否かを判定するようにしたが、これに限られず、放送信号のパケット中のビットレート等の、映像入力フォーマットに間接的に関連する情報に基いて、ＳＤ放送の放送データであるか否かを判定するようにしてもよい。
【図面の簡単な説明】
【００３７】
【図１】本発明の一実施形態によるディジタル録画装置であるハードディスクレコーダの概略構成を示す図。
【図２】図１中のＨＤＤの構成図。
【図３】上記ハードディスクレコーダにおけるＣＭカットモード設定メニューを示す図。
【図４】上記ハードディスクレコーダにおけるＣＭカット処理を示すフローチャート。
【図５】図４中のカット処理１を示すフローチャート。
【図６】図４中のカット処理２を示すフローチャート。
【図７】図４中のカット処理３を示すフローチャート。
【符号の説明】
【００３８】
１    ハードディスクレコーダ（ディジタル録画装置）
１０  ＣＰＵ（録画制御手段）
１１  ディジタルチューナ（チューナ）
１３  ＭＰＥＧ−２デコーダ（復号手段）
２１  ＨＤＤ（ハードディスクドライブ）
３０  リモコン（入力手段、ＣＭカットモード選択手段）
５１  ハードディスク（記録媒体）
６１  ＣＭカットモード設定メニュー
【図１】
2006217464.tif 000003
【図２】
2006217464.tif 000004
【図３】
2006217464.tif 000005
【図４】
2006217464.tif 000006
【図５】
2006217464.tif 000007
【図６】
2006217464.tif 000008
【図７】
2006217464.tif 000009